(57)【要約】【課題】バッテリー残量が減少してきたとき、通話や他の機能を使用できる時間を把握可能とする。【解決手段】二次電池から供給される電力によって所定の機能を実現する携帯端末装置において、所定時間当たりの動作に要する基準電力量と、前記二次電池の電力供給が終了するまでの残り動作時間と、を記憶する記憶手段と、前記基準電力量と前記残り動作時間とに基づいて、前記二次電池の残り電力量が前記残り動作時間を保証する値を下回ったと判断すると、前記二次電池の残り電力量が少なくなったことを使用者に警告する制御手段と、を備える。【選択図】図８
2007228486.tif 000002
【特許請求の範囲】
【請求項１】
二次電池から供給される電力によって所定の機能を実現する携帯端末装置において、
所定時間当たりの動作に要する基準電力量と、前記二次電池の電力供給が終了するまでの残り動作時間と、を記憶する記憶手段と、
前記基準電力量と前記残り動作時間とに基づいて、前記二次電池の残り電力量が前記残り動作時間を保証する値を下回ったと判断すると、前記二次電池の残り電力量が少なくなったことを使用者に警告する制御手段と、
を備えることを特徴とする携帯端末装置。
【請求項２】
前記機能を複数種類有し、
前記記憶手段は、前記機能のうち他の機能よりも優先する機能がある場合には、当該機能を優先対象として記憶すると共に、少なくとも前記優先対象についての前記基準電力量及び前記残り動作時間を記憶し、
前記制御手段は、前記二次電池の残り電力量が前記優先対象についての前記残り動作時間を保証する値を下回ったと判断すると、前記警告を行う
ことを特徴とする請求項１に記載の携帯端末装置。
【請求項３】
前記記憶手段は、前記優先対象が複数ある場合には、相互の優先順位をも記憶し、
前記制御手段は、前記二次電池の残り電力量の減少にしたがって、前記優先順位が低い機能から、順次、前記優先対象から除外してゆく
ことを特徴とする請求項２に記載の携帯端末装置。
【請求項４】
前記制御手段は、前記優先対象を減らす度に前記警告を行うことを特徴とする請求項３に記載の携帯端末装置。
【請求項５】
前記制御手段は、前記警告を行うと共に、前記優先対象以外の機能の使用を制限することを特徴とする請求項２〜４の何れかに記載の携帯端末装置。
【請求項６】
前記制御手段は、前記警告の際、前記優先対象以外の機能の使用中である場合には、当該使用中の機能については、使用終了までは継続使用を許容し、使用終了後に使用を制限することを特徴とする請求項５に記載の携帯端末装置。
【請求項７】
操作手段を更に備え、
前記操作手段が使用者から前記残り動作時間の設定操作を受け付けると、前記記憶手段に記憶された前記残り動作時間を更新することを特徴とする請求項１〜６に記載の携帯端末装置。
【請求項８】
前記制御手段は、前記警告にあたっては、前記二次電池の残り電力量と前記基準電力量とから予想動作時間を算出し使用者に通知することを特徴とする請求項１〜７に記載の携帯端末装置。
【請求項９】
前記機能として通話機能を有することを特徴とする請求項１〜８に記載の携帯端末装置。
【請求項１０】
前記記憶手段は、着信時の通話機能を前記優先対象として記憶することを特徴とする請求項１〜９に記載の携帯端末装置。
【発明の詳細な説明】
【技術分野】
【０００１】
本発明は、例えば携帯電話機等の携帯端末装置に関する。
【背景技術】
【０００２】
携帯電話機には、通話以外の付加機能も備えるものがある。そのような携帯電話機において、バッテリー残量が少なくなってきたときの通話機能及び付加機能への電力供給の制限とユーザへの報知について、特許文献１や特許文献２に示すような技術がある。
【０００３】
特許文献１に示す技術は、バッテリー残量を表示するインジケータ画像を通話用と付加機能用とに分けて表示し、バッテリー残量が減少するにしたがって、付加機能用のインジケータ画像の示すバッテリー残量から先に減らしていき、付加機能用のインジケータ画像の示すバッテリー残量がなくなったところで付加機能の使用を制限するようにするものである。
【０００４】
特許文献２に示す技術は、バッテリー残量が減少してきたときに、各機能に予め設定された優先順位にしたがって、各機能の使用にある程度の制限を加えるものである。
【特許文献１】特許第３４２３２４９号公報
【特許文献２】特開２００２−２６１９１９号公報
【発明の開示】
【発明が解決しようとする課題】
【０００５】
上述のような従来の技術では、バッテリー残量が減少してきたときに、ユーザは、バッテリー残量が少なくなったことを知ることはできるが、実際にどれくらいの時間携帯電話機を使用できるのかを知ることができない。そして、各機能に優先順位がつけられていたとしても、各機能についてどの程度の使用可能時間が残されているのか、知ることはできない。
更に、バッテリー残量が少なくなったことがユーザに報知されてからバッテリーの電力がなくなるまでの時間は、一般に、携帯電話機の使用状況だけでなく、機種によっても異なるので、ユーザは、経験から判断するしかなく、つまり、従来のバッテリー残量減少の報知内容は、甚だ曖昧なものとなっている。
したがって、例えば外出中等、すぐに充電できないユーザは、充電できるようになるまで、携帯電話機の使用をなるべく控えることになって、気遣わしい。
【０００６】
本発明は、上述した事情に鑑みてなされたもので、バッテリー残量が減少してきたとき、通話や他の機能を使用できる時間を把握可能とすることを目的とする。
【課題を解決するための手段】
【０００７】
上記課題を解決するために、本発明では、第１の手段として、二次電池から供給される電力によって所定の機能を実現する携帯端末装置において、所定時間当たりの動作に要する基準電力量と、前記二次電池の電力供給が終了するまでの残り動作時間と、を記憶する記憶手段と、前記基準電力量と前記残り動作時間とに基づいて、前記二次電池の残り電力量が前記残り動作時間を保証する値を下回ったと判断すると、前記二次電池の残り電力量が少なくなったことを使用者に警告する制御手段と、を備えるものを採用した。
【０００８】
また、第２の手段として、上記第１の手段において、前記機能を複数種類有し、前記記憶手段は、前記機能のうち他の機能よりも優先する機能がある場合には、当該機能を優先対象として記憶すると共に、少なくとも前記優先対象についての前記基準電力量及び前記残り動作時間を記憶し、前記制御手段は、前記二次電池の残り電力量が前記優先対象についての前記残り動作時間を保証する値を下回ったと判断すると、前記警告を行うものを採用した。
【０００９】
第３の手段として、上記第２の手段において、前記記憶手段は、前記優先対象が複数ある場合には、相互の優先順位をも記憶し、前記制御手段は、前記二次電池の残り電力量の減少にしたがって、前記優先順位が低い機能から、順次、前記優先対象から除外してゆくものを採用した。
【００１０】
第４の手段として、上記第３の手段において、前記制御手段は、前記優先対象を減らす度に前記警告を行うものを採用した。
【００１１】
第５の手段として、上記第２から４の何れかの手段において、前記制御手段は、前記警告を行うと共に、前記優先対象以外の機能の使用を制限するものを採用した。
【００１２】
第６の手段として、上記第５の手段において、前記制御手段は、前記警告の際、前記優先対象以外の機能の使用中である場合には、当該使用中の機能については、使用終了までは継続使用を許容し、使用終了後に使用を制限するものを採用した。
【００１３】
第７の手段として、上記第１から６の何れかの手段において、操作手段を更に備え、前記操作手段が使用者から前記残り動作時間の設定操作を受け付けると、前記記憶手段に記憶された前記残り動作時間を更新するものを採用した。
【００１４】
第８の手段として、上記第１から７の何れかの手段において、前記制御手段は、前記警告にあたっては、前記二次電池の残り電力量と前記基準電力量とから予想動作時間を算出し使用者に通知するものを採用した。
【００１５】
第９の手段として、上記第１から８の何れかの手段において、前記機能として通話機能を有するものを採用した。
【００１６】
第１０の手段として、上記第１から９の何れかの手段において、着信時の通話機能を前記優先対象として記憶するものを採用した。
【発明の効果】
【００１７】
本発明によれば、二次電池の電力供給が終了するまでの時間が予め設定された値を下回ると警告を行うようにしたので、ユーザは、二次電池の電力供給が終了するまでの時間が予め設定された値を下回ったことを知ることができる。したがって、ユーザは、二次電池の残り電力量が減少してきたときの携帯端末装置の使途を、自身の使い勝手のよいようにすることができる。
【発明を実施するための最良の形態】
【００１８】
以下、本発明の携帯端末装置の一実施形態である携帯電話機について、図面を参照して説明する。図１は、本実施形態における携帯電話機の構成を示すブロック図である。本携帯電話機は、操作部１、表示部２、表示制御部３、無線部４、電話機能部５、記憶部６（記憶手段）、制御部７、バッテリー８を備えている。表示制御部３及び制御部７は、制御手段を構成している。
【００１９】
操作部１は、ユーザが操作する複数のキーを備え、これらのキーにより、ユーザからの電話発信やメール送信等の各種操作を受け付け、制御部７に出力する。
【００２０】
表示部２は、液晶パネル等であり、表示制御部３から入力される画像信号に基づいて各種画像を表示するものである。
表示制御部３は、制御部７による制御の下に、表示部２に表示すべき画像の画像信号を生成して、表示部２に出力する。
【００２１】
無線部４は、制御部７による制御の下に、基地局との間で無線通信回線を確立して、情報通信を行う。
電話機能部５は、マイク、スピーカ等から構成され、ユーザの音声を集音し、通話相手の音声を発音する。
【００２２】
記憶部６は、制御部７が実行する電話プログラムやメールプログラム、ミュージックプレイヤー、ブラウザ等の各種プログラムや、各種設定値等を記憶する。
【００２３】
制御部７は、内部メモリに記憶された制御プログラム及び各種制御用データに基づいて本携帯電話機の全体動作を制御するものであり、上記制御プログラム及び各種制御用データ等に基づいて制御演算を行うＣＰＵ（Central Processing Unit）及び他の各部と信号の授受を行う各種入出力インターフェース回路等から構成されている。
【００２４】
バッテリー８は、上記の操作部１、表示部２、表示制御部３、無線部４、電話機能部５、記憶部６、制御部７に電力を供給する。
制御部７は、バッテリー８から供給される電力の電圧Ｖを監視しており、図２のグラフに示すようなバッテリー８の電力量と電圧との相関関係に基づいて、バッテリー８の電圧Ｖからバッテリー８の残り電力量を推定する。
【００２５】
本携帯電話機では、図７（ａ），図８（ａ），図９（ａ），図１０（ａ）に示すようなユーザによる操作を受け付ける際に表示部１に表示させる画面を有している。この画面を表示させて、操作部１により、ユーザから、バッテリー８の残り電力量が少なくなってきたときの残り電力量の使途を指定する操作を受け付ける。
この画面は、例えば、ユーザが、バッテリー８の残り電力量が通話４０分を保証するに足る量ｗ１を下回るほど減少した場合に、この残り電力量ｗ１を着信時の通話用に確保しておく（つまり他の機能の使用を制限する）ようにしたいのであれば、「[1]着信時の通話可能設定」を「要」とし、「[2]着信時の通話可能時間」を「４０分」とするよう、操作部１により操作するよう促すものである。
また、この画面は、例えば、ユーザが、バッテリー８の残り電力量が上記電力量ｗ１を下回って着信時の通話のみに使途を限られる前に、バッテリー８の残り電力量が上記電力量ｗ１にある程度近づいてきた場合に、まず優先して使用したい機能を残して他の機能を制限するようにしたいのであれば、「[3]優先動作設定」を「要」とし、各種機能のうち優先して使用したい機能があれば指定するとともに、「[4]優先動作可能時間」に希望する動作可能時間を指定するよう促すものである。
【００２６】
上述の着信時の通話可能時間が必要か不要かの着信時通話可能設定と、着信時の通話可能時間と、優先して動作させるプログラムを指定する優先動作設定と、優先して動作させるプログラムの動作可能時間とは、記憶部６が、各種設定値として記憶する。
また、記憶部６は、各種設定値として、電話プログラムやミュージックプレイヤー、ブラウザ等の各プログラムについて、基準電力量を記憶している。基準電力量とは、本携帯電話機が、あるプログラムに基づいて所定時間（例えば３０分間）動作するのに要する電力量である。
操作部１が、ユーザから、着信時の通話可能時間が必要か不要かの設定を切り替える操作や、着信時の通話可能時間が必要と設定されている場合には着信時の通話可能時間を指定する操作、また、優先して動作させるプログラムを選択する操作、優先して動作させるプログラムが選択されている場合にはそのプログラムの動作可能時間を指定する操作を受け付け、制御部７に出力すると、制御部７は、記憶部６に記憶された設定値を更新する。
【００２７】
また、制御部７は、着信時通話可能設定及び優先動作設定の設定内容に応じて、電圧Ｖの監視に用いる閾値Ｖ１及びＶ２を算出する。図３は、制御部７による閾値Ｖ１及びＶ２の算出処理の流れを示すフローチャートである。制御部７は、記憶部６に記憶された着信時の通話可能設定が「必要」と設定されているときには（ステップＳ１の要）、その通話可能時間の設定値と、電話プログラムの基準電力量とから、通話可能時間を保証するに足る電力量ｗ１を算出し、更にその電力量ｗ１から、バッテリー８がその電力量ｗ１を保持している場合の電圧を算出し、閾値Ｖ１とする（ステップＳ２）。
また、制御部７は、記憶部６に記憶された着信時の通話可能設定が「不要」と設定されているときには（ステップＳ１の不要）、着信時の通話可能時間にデフォルトの値を充て、このデフォルトの通話可能時間と、電話プログラムの基準電力量とから、通話可能時間を保証するに足る電力量ｗ１を算出し、更にその電力量ｗ１から、バッテリー８がその電力量ｗ１を保持している場合の電圧を算出し、閾値Ｖ１とする（ステップＳ３）。
【００２８】
更に、制御部７は、優先して動作させるプログラムが設定されている場合には（ステップＳ４の有）、その動作可能時間の設定値と、そのプログラムの基準電力量とから、動作可能時間を保証するに足る電力量ｗ２を算出し、更にその電力量ｗ２から、バッテリー８がその電力量ｗ２及び上述のｗ１を保持している場合の電圧を算出し、閾値Ｖ２とする（ステップＳ５）。
【００２９】
図４〜図６は、制御部７によるバッテリー８の電力量減少に応じた処理の流れを示すフローチャートである。図７〜図１０は、表示部２に表示される画面の一例である。
まず、図７（ａ）に示すように、着信時通話可能設定が不要とされていて（ステップＳ１１の不要）、且つ、優先して動作させるプログラムの設定が無い場合（ステップＳ１２の無）には、制御部７は、バッテリー８の電圧Ｖが閾値Ｖ１を下回ると（ステップＳ１３のＹｅｓ）、警告音を鳴動させる（ステップＳ１４）。このとき、制御部７は、通話中であるか否かを判断し（ステップＳ１５）、通話中であれば（ステップＳ１５のＮｏ）通話が終了するまで待機してから、或いは、ユーザが例えば図７（ｂ）に示すようにブラウザを使用している等、通話中でなければ（ステップＳ１５のＹｅｓ）、表示制御部３を制御して、図７（ｃ）に示すように表示部２に「充電をしてください。」等の警告メッセージを表示部２に表示させる（ステップＳ１６）。
【００３０】
次に、図８（ａ）に示すように、着信時通話可能設定が必要とされていて（ステップＳ１１の要）、且つ、優先して動作させるプログラムの設定が無い場合（ステップＳ２１の無）には、制御部７は、バッテリー８の電圧Ｖが閾値Ｖ１を下回ると（ステップＳ２２のＹｅｓ）、警告音を鳴動させる（ステップＳ２３）。このとき、制御部７は、通話中であるか否かを判断し（ステップＳ２４）、例えば図８（ｂ）に示すように通話中であれば（ステップＳ２４のＮｏ）、通話が終了するまで待機し、通話終了後（ステップＳ２４のＹｅｓ）、表示制御部３を制御して、図８（ｃ）に示すように表示部２に「充電をしてください。」等の警告メッセージと共に、「着信時の通話 35分可能です。」等の着信時の通話可能時間を表示部２に表示させる（ステップＳ２５）。
このとき、制御部７は、このときに表示させる着信時の通話可能時間を、表示する時点でのバッテリー８の残り電力量及び基準電力量から再計算して、表示させる。上記例のように、バッテリー８の電圧Ｖが閾値Ｖ１を下回った時点から、着信時の通話可能時間を表示部２に表示させるまで、通話終了を待機した場合には、その間、バッテリー８の残り電力量は通話のために減少しているので、表示部２に表示させる着信時の通話可能時間は、初めに設定した値よりも少ないものとなる。
そして、制御部７は、通話以外の機能を使用中であるか否かを判断し（ステップＳ２６）、通話以外の機能を使用していれば（ステップＳ２６のＹｅｓ）、その機能を終了させる（ステップＳ２７）。
【００３１】
ステップＳ２４において、ユーザが例えば図８（ｄ）に示すようにミュージックプレイヤーを使用している等、通話中でなければ（ステップＳ２４のＹｅｓ）、表示制御部３を制御して、図８（ｅ）に示すように表示部２に「このまま動作を続けるためには、充電をしてください。」等の警告メッセージと共に、「着信時の通話 40分可能です。」等の着信時の通話可能時間を表示部２に表示させる（ステップＳ２５）。そして、制御部７は、ミュージックプレイヤー即ち通話以外の機能が使用されているので（ステップＳ２６のＹｅｓ）、ミュージックプレイヤーを終了させる（ステップＳ２７）。
【００３２】
そして、この処理の後は、制御部７は、着信時通話以外の機能の使用を制限する。
【００３３】
次に、図９（ａ）に示すように、着信時通話可能設定が必要とされていて（ステップＳ１１の要）、且つ、優先して動作させるプログラムが設定されている場合（ステップＳ２１の有）について説明する。ここでは、優先して動作させるプログラムとして、ミュージックプレイヤーが設定されているとして説明する。
【００３４】
制御部７は、バッテリー８の電圧Ｖが閾値Ｖ２を下回ると（ステップＳ３１のＹｅｓ）、警告音を鳴動させる（ステップＳ３２）。このとき、制御部７は、通話中であるか否かを判断し（ステップＳ３３）、通話中であれば（ステップＳ３３のＮｏ）通話が終了するまで待機してから、或いは、ユーザが例えば図９（ｂ）に示すようにミュージックプレイヤーを使用している等、通話中でなければ（ステップＳ３３のＹｅｓ）、優先動作設定された機能を使用中であるか否かを判断する（ステップＳ３４）。このとき、ユーザが例えば図９（ｂ）に示すように優先動作設定された機能つまりミュージックプレイヤーを使用中であれば（ステップＳ３４のＹｅｓ）、表示制御部３を制御して、図９（ｃ）に示すように表示部２に「電池残量が残りわずかとなっています。充電をしてください。」等の警告メッセージと共に、「音楽再生 20分可能です。」等の優先動作設定されたプログラムの動作可能時間を表示部２に表示させ（ステップＳ３５）、使用中の機能つまりミュージックプレイヤーを継続する（ステップＳ３６）。
【００３５】
ステップＳ３４において、ユーザが例えば図９（ｄ）に示すように優先動作設定された機能以外の機能つまりブラウザ等を使用中であれば（ステップＳ３４のＮｏ）、制御部７は、表示制御部３を制御して、図９（ｅ）に示すように表示部２に「電池残量が残りわずかとなっています。充電をしてください。」等の警告メッセージと共に、優先動作設定された機能と現在使用中の機能のどちらを優先させるかをユーザに選択させる画面を表示部２に表示させる（ステップＳ３７）。
【００３６】
制御部７は、操作部１によりユーザからの使用中の機能つまりブラウザを優先する操作を受け付けると（ステップＳ３８のＹｅｓ）、ユーザがブラウザを終了させるまで、一時的にブラウザの継続使用を許容する（ステップＳ３９）。ユーザがブラウザを終了させた後は、優先動作設定された機能つまりミュージックプレイヤー以外の機能の使用を制限する。
【００３７】
ステップＳ３８において、制御部７が、操作部１によりユーザからの優先動作設定された機能つまりミュージックプレイヤーを優先する操作を受け付けると（ステップＳ３８のＮｏ）、使用中の機能つまりブラウザを終了する（ステップＳ４０）。
【００３８】
ステップＳ３６，Ｓ３９，Ｓ４０の後、バッテリー８の残り電力量が更に減少し、バッテリー８の電圧Ｖが閾値Ｖ１を下回った後の処理は、前述のステップＳ２２〜Ｓ２７と同様である。
【００３９】
次に、図１０（ａ）に示すように、着信時通話可能設定が不要とされていて（ステップＳ１１の不要）、且つ、優先して動作させるプログラムが設定されている場合（ステップＳ１２の有）について説明する。ここでは、優先して動作させるプログラムとして、ミュージックプレイヤーが選択されているとして説明する。
【００４０】
制御部７は、バッテリー８の電圧Ｖが閾値Ｖ２を下回ると（ステップＳ５１のＹｅｓ）、警告音を鳴動させる（ステップＳ５２）。このとき、制御部７は、通話中であるか否かを判断し（ステップＳ５３）、通話中であれば（ステップＳ５３のＮｏ）通話が終了するまで待機してから、或いは、ユーザが例えば図１０（ｂ）に示すようにミュージックプレイヤーを使用している等、通話中でなければ（ステップＳ５３のＹｅｓ）、優先動作設定された機能を使用中であるか否かを判断する（ステップＳ５４）。このとき、ユーザが例えば図１０（ｂ）に示すように優先動作設定された機能つまりミュージックプレイヤーを使用中であれば（ステップＳ５４のＹｅｓ）、表示制御部３を制御して、図１０（ｃ）に示すように表示部２に「電池残量が残りわずかとなっています。充電をしてください。」等の警告メッセージと共に、「音楽再生 20分可能です。」等の優先動作設定されたプログラムの動作可能時間を示し、更に、着信時通話設定を行うか否かをユーザに選択させる画面を表示部２に表示させ（ステップＳ３５）、使用中の機能つまりミュージックプレイヤーを継続する（ステップＳ５６）。
【００４１】
そして、図１０（ｃ）に示す画面において、操作部１によりユーザからの着信時通話設定を行う操作を受け付けると（ステップＳ５７のＹｅｓ）、制御部７は、前述のステップＳ２２〜Ｓ２７の処理へ移る。また、操作部１によりユーザからの着信時通話設定を行わないとする操作を受け付けると（ステップＳ５７のＮｏ）、制御部７は、前述のステップＳ１３〜Ｓ１６の処理へ移る。
【００４２】
ステップＳ５４において、ユーザが例えば図１０（ｄ）に示すように優先動作設定された機能以外の機能つまりブラウザ等を使用中であれば（ステップＳ５４のＮｏ）、制御部７は、表示制御部３を制御して、図１０（ｅ）に示すように表示部２に「電池残量が残りわずかとなっています。充電をしてください。」等の警告メッセージと共に、優先動作設定された機能と現在使用中の機能と着信時通話可能設定のどれを優先させるかをユーザに選択させる画面を表示部２に表示させる（ステップＳ５８）。
【００４３】
図１０（ｅ）に示す画面において、操作部１によりユーザからの使用中の機能つまりブラウザを優先する操作を受け付けると（ステップＳ５９のＹｅｓ）、制御部７は、ユーザがブラウザを終了させるまで、一時的にブラウザの継続使用を許容する（ステップＳ６０）。ユーザがブラウザを終了させた後は、優先動作設定された機能つまりミュージックプレイヤー以外の機能の使用を制限する。
そして、この後、バッテリー８の残り電力量が更に減少し、バッテリー８の電圧Ｖが閾値Ｖ１を下回った後の処理は、前述のステップＳ１３〜Ｓ１６と同様である。
【００４４】
図１０（ｅ）に示す画面において、操作部１によりユーザから受け付けた操作が使用中の機能つまりブラウザを優先する操作ではない場合には（ステップＳ５９のＮｏ）、制御部７は、使用中の機能つまりブラウザを終了する（ステップＳ６１）。
【００４５】
そして、図１０（ｅ）に示す画面において、操作部１によりユーザから受け付けた操作が優先動作設定された機能つまりミュージックプレイヤーを優先する操作であった場合には（ステップＳ６２のＹｅｓ）、この後、バッテリー８の残り電力量が更に減少し、バッテリー８の電圧Ｖが閾値Ｖ１を下回った後の処理は、前述のステップＳ１３〜Ｓ１６と同様である。
図１０（ｅ）に示す画面において、操作部１によりユーザから受け付けた操作が優先動作設定された機能つまりミュージックプレイヤーを優先する操作ではなかった場合には（ステップＳ６２のＮｏ）、着信時通話設定を行う操作であるので、制御部７は、前述のステップＳ２２〜Ｓ２７の処理へ移る。
【図面の簡単な説明】
【００４６】
【図１】本発明の一実施形態における携帯電話機の構成を示すブロック図である。
【図２】本発明の一実施形態におけるバッテリーの電圧と残り電力量との関係を示すグラフである。
【図３】本発明の一実施形態における閾値の算出処理の流れを示すフローチャートである。
【図４】本発明の一実施形態におけるバッテリーの電力量減少に応じた処理の流れを示すフローチャートである。
【図５】本発明の一実施形態におけるバッテリーの電力量減少に応じた処理の流れを示すフローチャートである。
【図６】本発明の一実施形態におけるバッテリーの電力量減少に応じた処理の流れを示すフローチャートである。
【図７】本発明の一実施形態における表示部に表示される画面の一例である。
【図８】本発明の一実施形態における表示部に表示される画面の一例である。
【図９】本発明の一実施形態における表示部に表示される画面の一例である。
【図１０】本発明の一実施形態における表示部に表示される画面の一例である。
【符号の説明】
【００４７】
１…操作部、  ２…表示部、  ３…表示制御部（制御手段の一部）、  ４…無線部、  ５…電話機能部、  ６…記憶部（記憶手段）、  ７…制御部（制御手段の一部）、  ８…バッテリー
【図１】
2007228486.tif 000003
【図２】
2007228486.tif 000004
【図３】
2007228486.tif 000005
【図４】
2007228486.tif 000006
【図５】
2007228486.tif 000007
【図６】
2007228486.tif 000008
【図７】
2007228486.tif 000009
【図８】
2007228486.tif 000010
【図９】
2007228486.tif 000011
【図１０】
2007228486.tif 000012